【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
骨材を清浄化し、粉砕するためのシステム（５０）において、
基部ユニット（５２）と、
前記基部ユニット（５２）内に配置されたモータ（５４）と、
前記基部ユニット（５２）と別体のクリーニングヘッド（５６，４１０，６３０，７００，８００，９００，１０００，１１００）であって、前記基部ユニットに離脱可能に取り付けられるように、かつ骨材を受け入れるように形作られている、クリーニングヘッドと、
前記クリーニングヘッド（５６，４１０，６３０，７００，８００，９００，１０００，１１００）内に可動に取り付けられており、作動されたときに骨材を清浄化するようになっている少なくとも１つのクリーニング要素（５８，４１６，４１８，６０８，７３８，８４０，９１４，１０１４，１１１４，１１５０）であって、前記モータの作動が前記クリーニング要素の作動をもたらすようにするために、前記クリーニングルヘッド（５６）が前記基部ユニット（５２）に取り付けられたときに、前記基部ユニットの前記モータ（５４）に接続された相補的特徴部（１１２）に係合するように形作られた少なくとも１つの特徴部（２６４）を備えている、少なくとも１つのクリーニング要素と、
前記基部ユニット（５２）および前記クリーニングヘッドと別体のミルヘッド（６０）であって、前記基部ユニットに離脱可能に取り付けられるように、かつ前記クリーニングヘッドの前記クリーニング要素によって清浄化された骨材を受け入れるように形作られている、ミルヘッド（６０）と、
前記ミルヘッド（６０）内に可動に配置されたミル要素（６２）であって、前記ミルヘッド内に導かれた骨材を骨細片に変換するための少なくとも１つの特徴部（３３６）と、 前記モータの作動が前記ミル要素の作動をもたらすようにするために、前記ミルヘッド（６０）が前記基部ユニット（５２）に取り付けられたときに、前記基部ユニットの前記モータ（５４）に接続された相補的連結特徴部（１１２）に係合するように形作られた少なくとも１つの連結特徴部（３３４）と、を有している、ミル要素（６２）と、
を備えていることを特徴とする、システム。
【請求項２】
前記クリーニングヘッド（５６，４１０，６３０，７００，８００，９００，１０００，１１００）には、前記クリーニングヘッドが前記基部ユニットに離脱可能に保持されるようにするために、前記基部ユニットと一体の相補的係止特徴部に係合するための少なくとも１つの係止特徴部（２１０，２２０）が形成されており、
前記ミルヘッド（６０）には、前記ミルヘッドが前記基部ユニットに離脱可能に保持されるようにするために、前記基部ユニット（５２）と一体の相補的係止特徴部（８４，８６）に係合するための少なくとも１つの係止特徴部（３１２，３２８）が形成されており、前記ミルヘッドの前記係止特徴部（３１２，３２８）および前記クリーニングヘッドの前記係止特徴部は、前記基部ユニット（５２）と一体の同じ相補的係止特徴部（８４，８６）に係合するように形作られていることを特徴とする、請求項１に記載のシステム。
【請求項３】
前記ミル要素の前記少なくとも１つの連結特徴部（３３４）および前記クリーニング要素の前記少なくとも１つの連結特徴部（２６４）は、前記基部ユニットの前記モータ（５４）に接続された同じ連結特徴部（１１２）に係合するように形作られていることを特徴とする、請求項１または２に記載のシステム。
【請求項４】
前記基部ユニットの前記モータ（５４）に接続された制御装置（６６）が、前記モータの運転を調整するようになっており、
前記ミルヘッド（６０）は、前記ミルヘッドを識別するデータが記憶されたメモリ（３２０）を備えており、
前記クリーニングヘッド（５６，４１０，６３０，７００，８００，９００，１０００，１１００）は、前記クリーニングヘッドを識別するデータが記憶されたメモリ（２７０）を備えており、
前記基部ユニット（５２）は、前記基部ユニットに取り付けられた前記ヘッド（５６，６０）の前記メモリ（２７０，３２０）内の前記データを読み取ることができるリーダ（１３０）を備えており、
前記制御装置（６６）は、前記基部ユニットの前記メモリの前記リーダ（１３０）によって読み取られた前記データを受信するために、前記メモリの前記リーダに接続されており、
前記読み取ったデータが、前記ミルヘッド（６０）が前記基部ユニット（５２）に取り付けられていることを示したとき、前記制御装置は、前記前記少なくとも１つのミル要素を適切に作動させるために、前記基部ユニットの前記モータ（５４）を作動させるようになっており（３７６，３８０）、
前記読み取ったデータが、前記クリーニングヘッドが前記基部ユニットに取り付けられていることを示したとき、前記制御装置は、前記少なくとも１つのクリーニング要素を適切に作動させるために、前記基部ユニットの前記モータ（５４）を作動させるようになっている（３６８）ことを特徴とする、請求項１〜３のいずれか１つに記載のシステム。
【請求項５】
前記少なくとも１つのクリーニング要素は、回転ブラシ、回転卸し金、および回転溝付ネジからなる群から選択された１つであることを特徴とする、請求項１〜４のいずれか１つに記載のシステム。
【請求項６】
前記クリーニングヘッドは、前記クリーニングヘッド内に取り付けられた攪拌器をさらに備えており、前記撹拌器は、前記クリーニングヘッド内において前記骨材を転動させるように構成されていることを特徴とする、請求項１〜５のいずれか１つに記載のシステム。
【請求項７】
前記撹拌器は、前記クリーニングヘッド内に可動に取り付けられており、前記モータによって作動されるために、前記基部ユニット（５２）への前記クリーニングヘッドの取付け時に、前記基部ユニットの前記モータ（５４）に接続されるようになっていることを特徴とする、請求項６に記載のシステム。
【請求項８】
前記クリーニングヘッドは、
前記クリーニングヘッド内に可動に取り付けられた少なくとも１つの第１のクリーニング要素であって、前記基部ユニットの前記モータの作動時に作動されるようになっており、前記骨材に対して第１の清浄化作用を果たすように構成されている、少なくとも１つの第１のクリーニング要素と、
前記クリーニングヘッド内に配置された少なくとも１つの第２のクリーニング要素であって、前記少なくとも１つの第１のクリーニング要素と異なっており、前記骨材に対して前記１の清浄化作用と異なる第２の清浄化作用を果たすように構成されている、少なくとも１つの第２のクリーニング要素と、
を備えていることを特徴とする、請求項１〜７のいずれか１つに記載のシステム。
【請求項９】
前記少なくとも１つの第２のクリーニング要素は、前記クリーニングヘッド内に可動に取り付けられており、前記モータによって作動されるために、前記基部ユニット（５２）への前記クリーニングヘッドの取付け時に、前記基部ユニットの前記モータ（５４）に接続されるようになっていることを特徴とする、請求項８に記載のシステム。
【請求項１０】
前記クリーニングヘッド（６３０）には、シュート（６７８）が形成されており、
前記ミルヘッド（６０）には、送給開口（３０６）が形成されており、該送給開口を通って、骨材が前記ミルヘッド内に導かれるようになっており、
前記クリーニングヘッドの前記シュート（６７８）は、骨材が前記シュートから前記送給開口を通って前記ミルヘッド内に移送され、前記送給開口（３０６）を囲んで前記ミルヘッド（６０）に連結されるように形作られていることを特徴とする、請求項１〜９のいずれか１つに記載のシステム。
【請求項１１】
前記ミルヘッドは、前記ミルヘッド内に可動に取り付けられた複数の前記クリーニング要素を備えており、該クリーニング要素は、前記基部ユニットの前記モータ（５４）の作動時に作動されるようになっていることを特徴とする、請求項１〜１０のいずれか１つに記載のシステム。
【請求項１２】
前記ミルヘッド（６０）は、第１の開口（３０６）であって、該第１の開口を通って骨材が前記ミルヘッド内に導かれるようになっている、第１の開口（３０６）と、第２の開口（３０９）であって、該第２の開口を通って、前記骨細片が前記ミルヘッドから放出されるようになっている、第２の開口（３０９）とを備えていることを特徴とする、請求項１〜１１のいずれか１つに記載のシステム。
【請求項１３】
前記ミルヘッドの前記ミル要素（６２）は、前記ミルヘッドの前記第１の開口（３０６）と前記ミルヘッドの前記第２の開口（３０９）との間に配置されていることを特徴とする、請求項１２に記載のシステム。
【請求項１４】
請求項１〜１３のいずれか１つに記載のシステムと共に用いられるクリーニングヘッド（５６，４１０，６３０，７００，８００，９００，１０００，１１００）において、
前記基部ユニット（５２）および前記ミルヘッド（６０）の両方と別体のハウジングであって、前記基部ユニットに離脱可能に取り付けられるように、かつ骨材を受け入れるように形作られている、ハウジングと、
前記ハウジング（５６，４１０，６３０，７００，８００，９００，１０００，１１００）内に可動に取り付けられており、作動されたときに骨材を清浄化するようになっている、少なくとも１つのクリーニング要素（５８，４１６，４１８，６０８，７３８，８４０，９１４，１０１４，１１１４，１１５０）であって、前記モータの作動が前記クリーニング要素の作動をもたらすようにするために、前記クリーニングヘッド（５６）が前記基部ユニット（５２）に取り付けられたときに、前記基部ユニットの前記モータ（５４）に接続された相補的特徴部（１１２）に係合するように形作られた少なくとも１つの特徴部（２６４）を備えている、少なくとも１つのクリーニング要素と、
を備えていることを特徴とする、クリーニングヘッド。
【請求項１５】
前記少なくとも１つのクリーニング要素は、回転ブラシ、回転卸し金、および回転溝付ネジからなる群から選択された１つであることを特徴とする、請求項１４に記載のクリーニングヘッド。
【請求項１６】
前記クリーニングヘッドは、前記クリーニングヘッド内に取り付けられた攪拌器をさらに備えており、前記撹拌器は、前記クリーニングヘッド内において前記骨材を転動させるように構成されていることを特徴とする、請求項１４または１５に記載のクリーニングヘッド。
【請求項１７】
前記撹拌器は、前記クリーニングヘッド内に可動に取り付けられており、前記モータによって作動されるために、前記基部ユニット（５２）への前記クリーニングヘッドの取付け時に、前記基部ユニットの前記モータ（５４）に接続されるようになっていることを特徴とする、請求項１６に記載のクリーニングヘッド。